(57)【要約】【課題】待機時に不要な電源回路の消費電力を抑制して、待機時の機器全体の消費電力を減少させることができる電気機器を提供する。【解決手段】スイッチングレギュレータ１０、トランス２０、出力部３０、３１、３２などで構成される電源回路１００は、液晶表示部、ルーバー、ファンへ出力電圧を供給する。マイクロコンピュータ２は、液晶表示部、ルーバー、ファンが停止中であることを示す信号を取得した場合、スイッチングレギュレータ１０の入力側にあるスイッチ４０をオフにする。これにより、空気調和機が運転中であって、待機モードであるときには、スイッチングレギュレータ１０に供給される電圧を遮断して、スイッチングレギュレータ１０、及びスイッチングレギュレータ１０以降の後段の回路で消費される電力を削減する。【選択図】図１
2007336625.tif 000002
【特許請求の範囲】
【請求項１】
複数の電源回路と、該電源回路夫々の出力電圧で作動する作動部とを備える電気機器において、
第１の電源回路の出力電圧で作動する作動部の作動状態に関する信号を取得する取得手段と、
該取得手段で取得した信号に基づいて、前記第１の電源回路のオン／オフを切り替える切替部と
を備え、
前記取得手段は、
第２の電源回路の出力電圧で作動すべく構成してあることを特徴とする電気機器。
【請求項２】
前記取得手段は、
第３の電源回路の出力電圧で作動する作動部の作動状態に関する信号を取得するように構成してあり、
前記取得手段で取得した信号に基づいて、前記第３の電源回路のオン／オフを切り替える切替部と、
前記第２の電源回路の出力電圧で作動すべく構成してあり、前記取得手段で取得した信号に基づいて、各切替部の切り替えを制御する制御手段と
をさらに備えることを特徴とする請求項１に記載の電気機器。
【請求項３】
前記第１又は第３の電源回路は、
入力電圧を交流電圧に変換する変換回路を備え、
前記切替部は、
前記変換回路の入力側に設けられていることを特徴とする請求項１又は請求項２に記載の電気機器。
【請求項４】
前記第１又は第３の電源回路は、
入力電圧を交流電圧に変換する変換回路と、
該変換回路で変換された交流電圧を変圧する変圧回路と
を備え、
前記切替部は、
前記変換回路の出力側であって、前記変圧回路の入力側に設けられていることを特徴とする請求項１又は請求項２に記載の電気機器。
【発明の詳細な説明】
【技術分野】
【０００１】
本発明は、複数の電源回路を備える電気機器に関し、特に待機時の消費電力を低減することができる電気機器に関する。
【背景技術】
【０００２】
空気調和機（エアコン）、冷蔵庫、洗濯機などの電気機器は、その内部に様々な機能部品が収容され、さらに機能部品毎に所要の電圧を供給するために、複数の異なる電圧値を出力することができる電源回路を内蔵している。
【０００３】
このような電源回路は、５０／６０Ｈｚの交流電圧を整流器で整流した後、整流後の電圧をスイッチングレギュレータＩＣで高周波（例えば、数ｋＨｚ〜数十ｋＨｚ）の交流電圧に変換し、変換後の交流電圧をトランス（スイッチングトランス）で所定の電圧に変圧（昇圧又は降圧）した後、再び整流して所定の電圧値に変換して各種機能部品に供給する。
【０００４】
電源回路の負荷である各機能部品で消費される電力が大きい場合、電源回路の電源容量も大きくする必要があり、これにより、トランスのサイズが大きくなる。しかし、トランスのサイズが大きくなるに応じて、鉄損及び銅損などのトランスでの損失が増加し、消費電力が増加するという問題がある。
【０００５】
そこで、従来、トランスの大型化による電気機器の消費電力の増大を防止するために、スイッチングレギュレータ及びトランスなどで構成される電源回路を複数設けることにより、１つの電源回路の電源容量を小さくしてトランスのサイズを小さくする方法が実用化されている。
【０００６】
また、コンバータ、インバータ、ファンモータ駆動回路などを備える空気調和機において、待機時にコンバータ、インバータ、ファンモータ駆動回路への制御電源の供給を停止させることにより、待機時の消費電力を低減することができる空気調和機が提案されている（特許文献１参照）。
【特許文献１】特開２００２−８１７１２号公報
【発明の開示】
【発明が解決しようとする課題】
【０００７】
しかしながら、特許文献１の空気調和機にあっては、待機時にコンバータ、インバータ、ファンモータ駆動回路への制御電源の供給は停止されるものの、コンバータ（整流回路）を通じてインバータ、ファンモータ駆動回路には主電源が接続されているため、待機時（無負荷状態）であっても電力は消費されている。このため、さらに消費電力を低減することが望まれていた。
【０００８】
また、従来の例にあっては、負荷である機能部品が使用されず停止中であっても、各電源回路には常に入力電圧が供給されているため、待機時（無負荷状態）であっても電力消費が生じており、さらに消費電力を低減することが望まれていた。
【０００９】
本発明は、斯かる事情に鑑みてなされたものであり、第１の電源回路の出力電圧で作動する作動部の作動状態に関する信号を取得する取得手段と、該取得手段で取得した信号に基づいて、前記第１の電源回路のオン／オフを切り替える切替部とを備え、前記取得手段は、第２の電源回路の出力電圧で作動すべく構成してあることにより、待機時に不要な電源回路の消費電力を抑制して、待機時の機器全体の消費電力を減少させることができる電気機器を提供することを目的とする。
【００１０】
また、本発明の他の目的は、前記取得手段は、第３の電源回路の出力電圧で作動する作動部の作動状態に関する信号を取得するように構成してあり、前記取得手段で取得した信号に基づいて、前記第３の電源回路のオン／オフを切り替える切替部と、前記取得手段で取得した信号に基づいて、各切替部の切り替えを制御する制御手段とを備えることにより、待機状態に合わせて不要な電源回路の消費電力を抑制して、待機時の機器全体の消費電力をさらに減少させることができる電気機器を提供することにある。
【００１１】
また、本発明の他の目的は、切替部を第１又は第３の電源回路の変換回路の入力側に設けることにより、変換回路及び該変換回路より後段の回路での損失を減少させることができる電気機器を提供することにある。
【００１２】
また、本発明の他の目的は、切替部を第１又は第３の電源回路の変換回路の出力側であって、変圧回路の入力側に設けることにより、変換回路を作動させる必要がある場合に、変圧回路での損失を減少させることができる電気機器を提供することにある。
【課題を解決するための手段】
【００１３】
本発明に係る電気機器は、複数の電源回路と、該電源回路夫々の出力電圧で作動する作動部とを備える電気機器において、第１の電源回路の出力電圧で作動する作動部の作動状態に関する信号を取得する取得手段と、該取得手段で取得した信号に基づいて、前記第１の電源回路のオン／オフを切り替える切替部とを備え、前記取得手段は、第２の電源回路の出力電圧で作動すべく構成してあることを特徴とする。
【００１４】
本発明に係る電気機器は、前記取得手段は、第３の電源回路の出力電圧で作動する作動部の作動状態に関する信号を取得するように構成してあり、前記取得手段で取得した信号に基づいて、前記第３の電源回路のオン／オフを切り替える切替部と、前記第２の電源回路の出力電圧で作動すべく構成してあり、前記取得手段で取得した信号に基づいて、各切替部の切り替えを制御する制御手段とをさらに備えることを特徴とする。
【００１５】
本発明に係る電気機器は、前記第１又は第３の電源回路は、入力電圧を交流電圧に変換する変換回路を備え、前記切替部は、前記変換回路の入力側に設けられていることを特徴とする。
【００１６】
本発明に係る電気機器は、前記第１又は第３の電源回路は、入力電圧を交流電圧に変換する変換回路と、該変換回路で変換された交流電圧を変圧する変圧回路とを備え、前記切替部は、前記変換回路の出力側であって、前記変圧回路の入力側に設けられていることを特徴とする。
【００１７】
本発明にあっては、第１の電源回路は作動部に電圧を供給し、第２の電源回路は取得手段に電圧を供給している。前記取得手段は、前記第１の電源回路の出力電圧で作動する作動部の作動状態に関する信号を取得し、取得した信号に基づいて、切替部で前記第１の電源回路をオン／オフする。例えば、機器の待機時に、第１の電源回路の出力電圧で作動する作動部が作動しない（待機する）場合、前記第１の電源回路を切ることにより、前記第１の電源回路で消費される電力を低減する。
【００１８】
また、本発明にあっては、第１の電源回路に加えて、第３の電源回路及び該第３の電源回路のオン／オフを切り替える切替部をさらに備える。前記第３の電源回路は作動部に電圧を供給し、前記取得手段は、前記第３の電源回路の出力電圧で作動する作動部の作動状態に関する信号を取得する。制御手段は、前記取得手段で前記第１の電源回路又は第３の電源回路の出力電圧で作動する作動部の作動状態に関する信号を取得し、取得した信号に基づいて、各切替部の切り替えを制御する。例えば、機器の待機時に、前記第１及び第３の電源回路の出力電圧で作動する作動部が作動しない状態の後に、前記第１の電源回路の出力電圧で作動する作動部のみが作動する場合、まず前記第１及び第３の電源回路をオフし、その後前記第１の電源回路をオンに切り替え、第３の電源回路をオフのままにすることにより、前記第３の電源回路で消費される電力を低減する。これにより、第１及び第３の電源回路を同時にオンに切り替える場合に比べて、消費電力を低減する。
【００１９】
また、本発明にあっては、第１又は第３の電源回路は変換回路を備え、入力電圧を交流電圧に変換する変換回路の入力側に切替部を設ける。これにより、前記変換回路及び該変換回路より後段で消費される電力を低減する。
【００２０】
また、本発明にあっては、第１又は第３の電源回路は変換回路及び変圧回路を備え、入力電圧を交流電圧に変換する変換回路の出力側であって、該変換回路で変換された交流電圧を変圧する変圧回路の入力側に切替部を設ける。これにより、前記変圧回路及び該変圧回路より後段で消費される電力を低減する。
【発明の効果】
【００２１】
本発明にあっては、第１の電源回路の出力電圧で作動する作動部の作動状態に関する信号を取得する取得手段と、該取得手段で取得した信号に基づいて、前記第１の電源回路のオン／オフを切り替える切替部とを備え、前記取得手段は、第２の電源回路の出力電圧で作動すべく構成してあることにより、待機時に不要な電源回路の消費電力を抑制して、待機時の機器全体の消費電力を減少させることができる。
【００２２】
また、本発明にあっては、前記取得手段は、第３の電源回路の出力電圧で作動する作動部の作動状態に関する信号を取得するように構成してあり、前記取得手段で取得した信号に基づいて、前記第３の電源回路のオン／オフを切り替える切替部と、前記取得手段で取得した信号に基づいて、各切替部の切り替えを制御する制御手段とを備えることにより、待機状態に合わせて不要な電源回路の消費電力を抑制して、待機時の機器全体の消費電力をさらに減少させることができる。
【００２３】
また、本発明にあっては、切替部を第１又は第３の電源回路の変換回路の入力側に設けることにより、変換回路及び変換回路より後段の回路での損失を減少させることができる。
【００２４】
また、本発明にあっては、切替部を第１又は第３の電源回路の変換回路の出力側であって、変圧回路の入力側に設けることにより、変換回路を作動させる必要がある場合に、変圧回路での損失を減少させることができる。
【発明を実施するための最良の形態】
【００２５】
実施の形態１
以下、本発明に係る電気機器を実施の形態を示す図面に基づいて説明する。図１は本発明に係る電気機器の電源回路１００の構成を示すブロック図である。電気機器として、例えば、空気調和機は、電源回路１００が供給する電圧により作動する複数の作動部（機能部品）を備える。空気調和機は、室内部と室外部に分離され、室内部には、室内側の熱交換器、室内側のファン、風向を調節するルーバー、空気調和機の動作状況（例えば、設定温度、冷房又は暖房、風量など）を表示する液晶表示部など（いずれも不図示）を備えている。
【００２６】
一方、室外部には、室外側の熱交換器、室外側のファン、圧縮機など（いずれも不図示）を備えている。これにより、例えば、冷房運転時には、圧縮機からの冷媒を室外側の熱交換器で凝縮することにより熱を室外に放熱し、キャピラリーチューブなどの減圧手段を経て、冷媒を室内側の熱交換器で膨張させ吸込口から取り入れた空気を冷却した後、冷却した空気を吐出口から吐き出すとともに、切換弁を経て再び冷媒を圧縮機へ戻す。
【００２７】
空気調和機は、運転中であっても、待機時には、例えば、ルーバーの動作が停止する場合、ファンが停止する場合、又は液晶表示部の表示を消す場合など、運転状態に応じて、各作動部の作動状態が異なる。
【００２８】
図１に示すように、電源回路１００は、スイッチングレギュレータ１０、トランス２０、出力部３０、３１、３２などを備える第１の電源回路と、スイッチングレギュレータ１１、トランス２１、出力部３３などを備える第２の電源回路とで構成されている。
【００２９】
図中１は整流回路である。整流回路１は、ダイオードブリッジで構成され、入力電圧（交流電圧）を整流して、整流後の電圧をスイッチングレギュレータ１０、１１へ出力する。スイッチングレギュレータ１０の入力側には、スイッチ４０を設けてあり、スイッチ４０をオン／オフすることにより、スイッチングレギュレータ１０に入力される電圧を通電又は遮断する。スイッチ４０を切ることにより、スイッチングレギュレータ１０及びスイッチングレギュレータ１０の後段の回路で消費される電力を削減することができる。なお、スイッチ４０は、リレーなどの有接点スイッチ、半導体素子などの無接点スイッチなど、いずれのものであってもよい。
【００３０】
スイッチングレギュレータ１０は、例えば、スイッチングレギュレータＩＣで構成され、入力された電圧を所定の周波数（例えば、数ｋＨｚ〜数十ｋＨｚ）でスイッチングすることにより交流電圧に変換し、変換後の交流電圧をトランス２０へ出力する。
【００３１】
トランス２０は、フェライトコアに設けられたボビンに１次巻線、及び３種類の２次巻線を巻回してあり、スイッチングレギュレータ１０から入力された交流電圧を変圧（例えば降圧）して、出力部３０、３１、３２へ変圧後の交流電圧を出力する。
【００３２】
出力部３０、３１、３２は、ダイオード及び平滑コンデンサなどで構成され、トランス２０の各出力電圧を整流、平滑して、夫々所定の出力電圧Ｖ１、Ｖ２、Ｖ３を出力する。例えば、出力電圧Ｖ１は、液晶表示部へ供給され、出力電圧Ｖ２はルーバーへ供給され、出力電圧Ｖ３はファン（ファンモータ）へ供給される。
【００３３】
スイッチングレギュレータ１１も、スイッチングレギュレータ１０と同様の構成をなし、入力された電圧を所定の周波数（例えば、数ｋＨｚ〜数十ｋＨｚ）でスイッチングすることにより交流電圧に変換し、変換後の交流電圧をトランス２１へ出力する。
【００３４】
トランス２１は、フェライトコアに設けられたボビンに１次巻線、及び２次巻線を巻回してあり、スイッチングレギュレータ１１から入力された交流電圧を変圧（例えば降圧）して、出力部３３へ変圧後の交流電圧を出力する。
【００３５】
出力部３３は、ダイオード及び平滑コンデンサなどで構成され、トランス２１の出力電圧を整流、平滑して、所定の出力電圧Ｖ４を出力する。例えば、出力電圧Ｖ４は、電源回路１００の動作を制御するマイクロコンピュータ２へ供給される。
【００３６】
マイクロコンピュータ２は、空気調和機の各作動部の作動状態に関する信号を取得する。例えば、マイクロコンピュータ２は、液晶表示部、ルーバー、ファンの作動状態（稼動状態）を示す信号を取得する。マイクロコンピュータ２は、空気調和機が待機時（待機モード）である場合、液晶表示部、ルーバー、ファンが停止中であることを示す信号を取得する。また、マイクロコンピュータ２は、空気調和機が待機時（待機モード）から通常運転モードへ移行する場合、液晶表示部、ルーバー、ファンが作動開始することを示す信号を取得する。
【００３７】
マイクロコンピュータ２は、液晶表示部、ルーバー、ファンが停止中であることを示す信号を取得した場合、スイッチ４０をオフにする。これにより、空気調和機が運転中であって、待機モードであるときには、スイッチングレギュレータ１０に供給される電圧を遮断して、スイッチングレギュレータ１０、及びスイッチングレギュレータ１０以降の後段の回路で消費される電力を削減することができ、空気調和機全体の待機時における消費電力を低減することができる。
【００３８】
また、マイクロコンピュータ２は、液晶表示部、ルーバー、ファンが作動開始することを示す信号を取得した場合、スイッチ４０をオンにする。
【００３９】
上述の構成において、マイクロコンピュータ２は常時電力が供給される。スイッチングレギュレータ１１、トランス２１、出力部３３で供給される電力は、マイクロコンピュータ２を作動させるに足る電力に制限することができ、スイッチングレギュレータ１１、トランス２１、出力部３３などを小型化して、常時消費される電力を低減することができる。一方、スイッチングレギュレータ１０、トランス２０、出力部３０、３１、３２などで通常時に電力消費量が比較的大きくなる場合であっても、待機時には、スイッチングレギュレータ１０、トランス２０、出力部３０、３１、３２などで消費される電力（無負荷時の電力、回路での損失など）を削減することができる。
【００４０】
なお、マイクロコンピュータ２は、液晶表示部、ルーバー、ファンの作動状態を示す信号を取得する構成に限定されず、マイクロコンピュータ２で、液晶表示部、ルーバー、ファンの作動状態を制御する構成であってもよい。
【００４１】
実施の形態２
実施の形態１では、スイッチ４０をスイッチングレギュレータ１０の入力側に設ける構成であったが、スイッチ４０の接続箇所は、これに限定されるものではなく、スイッチングレギュレータ１０の出力側であって、トランス２０の入力側に設けることもできる。
【００４２】
図２は実施の形態２の電源回路２００の構成を示すブロック図である。実施の形態１との相違点は、スイッチ４０に代えて、スイッチ５０をスイッチングレギュレータ１０の出力側であって、トランス２０の入力側に設けた点である。なお、実施の形態１と同様の箇所は同一の符号を付して説明を省略する。
【００４３】
スイッチ５０は、例えば、高周波電圧をオン／オフすることができる半導体スイッチング素子などで構成されているが、リレーなどを用いることもできる。
【００４４】
この場合も、実施の形態１と同様に、マイクロコンピュータ２は、液晶表示部、ルーバー、ファンが停止中であることを示す信号を取得した場合、スイッチ５０をオフにする。これにより、空気調和機が運転中であって、待機モードであるときには、スイッチングレギュレータ１０から出力される電圧を遮断して、トランス２０及びトランス２０以降の後段の回路で消費される電力を削減することができ、空気調和機全体の待機時における消費電力を低減することができる。この場合、空気調和機が待機モードであっても、スイッチングレギュレータ１０の動作を停止させたくないような事情がある場合、有用である。
【００４５】
実施の形態３
上述の実施の形態１、２では、第１の電源回路及び第２の電源回路を備え、第２の電源回路でマイクロコンピュータ２を作動させる構成であったが、電源回路の数は２つに限定されるものではなく、３つ以上あってもよい。
【００４６】
図３は実施の形態３の電源回路３００の構成を示すブロック図である。電源回路３００は、スイッチングレギュレータ１２、トランス２２、出力部３０、３１などを備える第１の電源回路と、スイッチングレギュレータ１３、トランス２３、出力部３２などを備える第３の電源回路と、スイッチングレギュレータ１１、トランス２１、出力部３３などを備える第２の電源回路とで構成されている。
【００４７】
整流回路１は、ダイオードブリッジで構成され、入力電圧（交流電圧）を整流して、整流後の電圧をスイッチングレギュレータ１２、１３、１１へ出力する。スイッチングレギュレータ１２、１３の入力側には、夫々スイッチ４０、４１を設けてあり、スイッチ４０、４１をオン／オフすることにより、スイッチングレギュレータ１２、１３に入力される電圧を通電又は遮断する。スイッチ４０を切ることにより、スイッチングレギュレータ１２及びスイッチングレギュレータ１２の後段の回路で消費される電力を削減することができ、スイッチ４１を切ることにより、スイッチングレギュレータ１３及びスイッチングレギュレータ１３の後段の回路で消費される電力を削減することができる。なお、スイッチ４１は、スイッチ４０と同一構成のものを使用することができる。
【００４８】
スイッチングレギュレータ１２は、例えば、スイッチングレギュレータＩＣで構成され、入力された電圧を所定の周波数（例えば、数ｋＨｚ〜数十ｋＨｚ）でスイッチングすることにより交流電圧に変換し、変換後の交流電圧をトランス２２へ出力する。
【００４９】
トランス２２は、フェライトコアに設けられたボビンに１次巻線、及び２種類の２次巻線を巻回してあり、スイッチングレギュレータ１２から入力された交流電圧を変圧（例えば降圧）して、出力部３０、３１へ変圧後の交流電圧を出力する。
【００５０】
出力部３０、３１は、ダイオード及び平滑コンデンサなどで構成され、トランス２２の各出力電圧を整流、平滑して、夫々所定の出力電圧Ｖ１、Ｖ２を出力する。例えば、出力電圧Ｖ１は、液晶表示部へ供給され、出力電圧Ｖ２はルーバーへ供給される。
【００５１】
スイッチングレギュレータ１３は、例えば、スイッチングレギュレータＩＣで構成され、入力された電圧を所定の周波数（例えば、数ｋＨｚ〜数十ｋＨｚ）でスイッチングすることにより交流電圧に変換し、変換後の交流電圧をトランス２３へ出力する。
【００５２】
トランス２３は、フェライトコアに設けられたボビンに１次巻線、及び２次巻線を巻回してあり、スイッチングレギュレータ１３から入力された交流電圧を変圧（例えば降圧）して、出力部３２へ変圧後の交流電圧を出力する。
【００５３】
出力部３２は、ダイオード及び平滑コンデンサなどで構成され、トランス２３の出力電圧を整流、平滑して、所定の出力電圧Ｖ３を出力する。例えば、出力電圧Ｖ３は、ファンへ供給される。
【００５４】
スイッチングレギュレータ１１、トランス２１、出力部３３、マイクロコンピュータ２は、実施の形態１と同様であるので説明は省略する。
【００５５】
空気調和機が待機モードである場合、マイクロコンピュータ２は、液晶表示部、ルーバーが停止中であることを示す信号を取得したときは、スイッチ４０をオフにする。また、マイクロコンピュータ２は、ファンが作動中であることを示す信号を取得した場合、スイッチ４１をオンにし、ファンが停止中であることを示す信号を取得した場合、スイッチ４１をオフにする。これにより、空気調和機が待機モード時に、液晶表示部、ルーバー、及びファンをすべて停止させることができる場合と、液晶表示部及びルーバーのみを停止させることができる場合とで停止させる電源回路をきめ細かく制御して、空気調和機全体の待機時における消費電力をさらに低減することができる。
【００５６】
また、電源回路を複数設けることにより、１個のトランスの容量を小さくして小型化することができ、トランスの大型化による重量増加、基板等への実装面での信頼度低下（半田付けの強度不足）などの問題も解消することができる。
【００５７】
実施の形態４
実施の形態１〜３においては、スイッチングレギュレータの出力側に１つのトランスを設ける構成であったが、これに限定されるものではなく、スイッチングレギュレータの出力側に出力電圧に応じて複数のトランスを設け、各トランスの入力側をオン／オフする構成であってもよい。
【００５８】
図４は実施の形態４の電源回路４００の構成を示すブロック図である。図に示すように、スイッチングレギュレータ１４の出力側に、スイッチ５１、５２、５３を介してトランス２４、２５、２６夫々を接続してある。
【００５９】
トランス２４、２５、２６夫々は、フェライトコアに設けられたボビンに１次巻線、及び２次巻線を巻回してあり、スイッチングレギュレータ１４から入力された交流電圧を変圧（例えば降圧）して、出力部３０、３１、３２へ変圧後の交流電圧を出力する。
【００６０】
出力部３０、３１、３２は、ダイオード及び平滑コンデンサなどで構成され、トランス２４、２５、２６夫々の出力電圧を整流、平滑して、所定の出力電圧Ｖ１、Ｖ２、Ｖ３を出力する。出力電圧Ｖ１は、液晶表示部へ供給され、出力電圧Ｖ２はルーバーへ供給され、出力電圧Ｖ３はファンへ供給される。
【００６１】
なお、スイッチングレギュレータ１１、トランス２１、出力部３３、マイクロコンピュータ２は、実施の形態１と同様であるので説明は省略する。
【００６２】
空気調和機が待機モードである場合、マイクロコンピュータ２は、液晶表示部が停止中であることを示す信号を取得したときは、スイッチ５１をオフにする。また、マイクロコンピュータ２は、ルーバーが停止中であることを示す信号を取得したときは、スイッチ５２をオフにする。さらに、マイクロコンピュータ２は、ファンが停止中であることを示す信号を取得したときは、スイッチ５３をオフにする。これにより、空気調和機が待機モード時に、液晶表示部、ルーバー、及びファン夫々の作動状態に応じて、不必要な電源回路を停止させることができ、空気調和機全体の待機時における消費電力をさらに低減することができる。特に、トランス２４、２５、２６における損失を負荷の作動状態に応じて、きめ細かく削減することができる。
【００６３】
以上説明したように、本発明にあっては、待機時に不要な電源回路の消費電力を抑制して、待機時の機器全体の消費電力を減少させることができる。また、待機状態に合わせて不要な電源回路の消費電力を抑制して、待機時の機器全体の消費電力をさらに減少させることができる。さらに、スイッチングレギュレータ、トランスでの損失を減少させることができる。
【００６４】
上述の実施の形態では、液晶表示部、ルーバー、ファンなどの作動状態に応じて、これらの各作動部へ電圧を供給する電源回路を停止させる構成であったが、作動部は、これに限定されるものではなく、待機時に停止するものであれば、他のものであってもよい。
【００６５】
上述の実施の形態では、電気機器の例として空気調和機について説明したが、電気機器は、空気調和機に限定されるものではなく、複数の電源回路を備えるものであれば、他の機器にも本発明を適用することができる。
【図面の簡単な説明】
【００６６】
【図１】本発明に係る電気機器の電源回路の構成を示すブロック図である。
【図２】実施の形態２の電源回路の構成を示すブロック図である。
【図３】実施の形態３の電源回路の構成を示すブロック図である。
【図４】実施の形態４の電源回路の構成を示すブロック図である。
【符号の説明】
【００６７】
２  マイクロコンピュータ
１０、１１、１２、１３、１４  スイッチングレギュレータ
２０、２１、２２、２３、２４  ２５、２６  トランス
３０、３１、３２、３３  出力部
４０、４１  ５０、５１、５２、５３  スイッチ
【図１】
2007336625.tif 000003
【図２】
2007336625.tif 000004
【図３】
2007336625.tif 000005
【図４】
2007336625.tif 000006